(57)【要約】【課題】蓋開け状態においても異物の侵入を防止できる容器装置の提供を目的とする。【解決手段】弾性材料で作成され、内部に流体を収容できる収容空間１１が形成されると共に、収容空間１１を外部空間と連通させる容器開口１３が設けられる容器本体１と、容器本体１の容器開口１３を封止できる容器蓋２とを具える容器装置であって、容器蓋２は、弾性材料で作成され、収容空間１１内部に収容される流体により押し開かれることができるように弾性変形可能に容器開口１３に隣設されているバルブユニット２２と、を有している。【選択図】図２
0003207087.tif 000002
【実用新案登録請求の範囲】
【請求項１】
弾性材料で作成され、内部に流体を収容できる収容空間が形成されると共に、前記収容空間を外部空間と連通させる容器開口が設けられる容器本体と、
前記容器本体の前記容器開口を封止できる容器蓋と、
を具える容器装置であって、
前記容器蓋は、弾性材料で作成され、前記収容空間の内部に収容される流体により押し開かれることができるよう弾性変形可能に前記容器開口に隣設されているバルブユニットを有していることを特徴とする容器装置。
【請求項２】
前記容器蓋は、
前記容器本体の前記容器開口の一部を覆うと共に、該容器開口と連通する蓋開口が形成されている装着ユニットと、
前記蓋開口を覆うように前記装着ユニットに取り外し可能に配置されている蓋ユニットと、
を更に有し、
前記バルブユニットは、前記装着ユニットに取付けられていることを特徴とする請求項１に記載の容器装置。
【請求項３】
前記バルブユニットは、
前記装着ユニットの前記蓋開口と係合しながら、前記蓋開口を前記外部空間と連通できる通孔を囲む周壁と、
前記周壁において前記容器本体から離れる側の先端に配置され、前記通孔を開閉可能に覆うことができると共に、前記収容空間の内部に収容される流体により押し開かれることができるように弾性変形することができる弁体と、
を備えていることを特徴とする請求項２に記載の容器装置。
【請求項４】
前記バルブユニットの前記弁体は、前記周壁の前記先端の周縁において互いに隣接しながら、それぞれ前記通孔の中心へ突起する複数の弾性弁片を有すると共に、互いに隣接する各前記弾性弁片の間に、該複数の弾性弁片が前記収容空間の内部に収容される流体により押し開かれるように弾性変形すると、幅が拡大するスリットが画成されていることを特徴とする請求項３に記載の容器装置。
【請求項５】
前記装着ユニットには、管状に形成されて前記蓋開口を囲む管状部が形成されており、
前記バルブユニットの前記周壁は、前記装着ユニットの前記管状部内に配置されていると共に、前記管状部の内周面に向かって開口する係合溝が形成されており、
更に、前記装着ユニットの前記管状部の内周面には、前記バルブユニットの前記係合溝に嵌め込む係合フランジが形成されていることを特徴とする請求項３に記載の容器装置。
【請求項６】
前記装着ユニットには、管状に形成されて前記蓋開口を囲む管状部が形成されており、
前記バルブユニットは、前記装着ユニットの前記管状部内に配置されていることを特徴とする請求項２に記載の容器装置。
【請求項７】
前記装着ユニットには、前記容器本体の前記容器開口の一部を覆うように前記容器本体に取付けられている装着部と、管状に形成されて前記容器本体から離れるように前記装着部に突設されている管状部と、が形成されており、
前記バルブユニットは、前記装着ユニットの前記管状部にマウントされていることを特徴とする請求項２に記載の容器装置。
【請求項８】
前記容器本体には、前記容器開口を封止し、且つ一面が前記バルブユニットに面しているシール膜が取付けられていることを特徴とする請求項２に記載の容器装置。
【請求項９】
前記容器本体は、
前記容器開口が形成されている端壁を有し、前記収容空間を囲む収容部と、
前記端壁の前記容器開口に臨む周縁から、前記容器開口の外側へ突起する取付け壁と、
を有するように形成されており、
前記容器蓋の前記装着ユニットには、前記容器本体の前記容器開口の一部を覆うように前記取付け壁に取付けられている装着部が形成されており、
前記装着部は、前記容器本体に取付けられる際、前記取付け壁の外側を囲む外囲壁と、前記取付け壁の内側に挿し込まれることができる挿入壁とを有するように構成されており、
更に、前記容器本体には、前記取付け壁を囲むように前記端壁に乗せられて前記装着部の前記外囲壁と前記容器本体の前記端壁との間に挟まれ、且つ取り外し可能なスペーサリングが取付けられており、
前記スペーサリングが取付けられている状態において、前記装着部の前記挿入壁は、前記容器開口の外側に位置しており、
前記スペーサリングが取り外されると、前記装着部の前記外囲壁は前記容器本体の前記端壁と当接できるようになり、そして前記外囲壁が前記端壁に接近して該端壁に当接すると、前記装着部の前記挿入壁は前記シール膜を突き破って前記容器開口の内側に挿し込まれることができるように構成されていることを特徴とする請求項８に記載の容器装置。
【考案の詳細な説明】
【技術分野】
【０００１】
本考案は容器装置に関し、特にペースト状の流体を収容する容器装置に関する。
【背景技術】
【０００２】
図１は従来の容器装置の一例が示されている一部断面図である。従来では、例えば図１に示されている容器装置を使用して歯磨き粉、シャンプーやクレンザーなどのペースト状の流体を収容することが多い。該従来の容器装置は、流体を収容できる管状の容器本体９と、容器本体９に取り付けられて前記流体を容器本体９の内部に封止する容器蓋８とを具えている。
【０００３】
容器本体９に関しては、樹脂やプラスチックなどの弾性材料で作成されるものが多く、内部に前記流体を収容できる収容空間９１が形成されると共に、収容空間９１を外部空間と連通させる容器開口９２が設けられている。容器蓋８は、容器本体９に取り付けられると共に、容器開口９２と連通し且つ容器開口９２より狭い蓋開口８１が形成される装着ユニット８３と、一端側が装着ユニット８３と連接し該一端側の反対側にある他端側が搖動することができ、その揺動で蓋開口８１を取り外し可能に封止できる蓋ユニット８２とを有している。
【０００４】
この構造によって使用者は、該従来の容器装置を利用する際に、容器蓋８の蓋ユニット８２を開けて蓋開口８１を露出させ、そして容器本体９に握力などの外力を与えることで、その内部にある前記流体を絞り出して使用できるようになっている。
【考案の概要】
【考案が解決しようとする課題】
【０００５】
しかし、従来の容器装置では、比較的多くの使用者が容器蓋８の蓋ユニット８２を開けっぱなしにすることが多く、そのため洗浄中の用水や塵埃などの異物が蓋開口８１を経由して容器本体９の収容空間９１にある流体に混ざり込んでしまう恐れがある。
【０００６】
上記問題点に鑑みて、本考案は、蓋が開けられている状態においても異物の侵入を防止できる容器装置の提供を目的とする。
【課題を解決するための手段】
【０００７】
上記目的を達成すべく、本考案の容器装置は、弾性材料で作成され、内部に流体を収容できる収容空間が形成されると共に、前記収容空間を外部空間と連通させる容器開口が設けられる容器本体と、前記容器本体の前記容器開口を封止できる容器蓋とを具える容器装置であって、前記容器蓋は、弾性材料で作成され、前記収容空間の内部に収容される流体により押し開かれることができるように弾性変形可能に前記容器開口に隣設されているバルブユニットと、を有していることを特徴とする。
【考案の効果】
【０００８】
上記構成によれば、本考案の容器装置は、前記容器蓋が弾性材料で作成され、前記収容空間の内部に収容される流体により押し開かれることができるように弾性変形可能に前記容器開口に隣設される前記バルブユニットを有するので、前記容器本体が握力などの外力でその内部にある流体を、前記容器開口へ移動させ、前記バルブユニットを押し開い外部空間へ流出させ、そして前記外力がなくなると、前記バルブユニットが弾性回復によって前記容器開口を封止し、前記外部空間からの異物が前記容器本体に侵入することを防止できる。
【図面の簡単な説明】
【０００９】
【図１】従来の容器装置が示されている一部断面図である。
【図２】本考案の容器装置の第１の実施形態が示されている一部断面図である。
【図３】本考案の第１の実施形態におけるバルブユニットが示されている斜視図である。
【図４】本考案の第１の実施形態におけるバルブユニットの開通状態が示されている一部断面図である。
【図５】本考案の容器装置の第２の実施形態が示されている一部断面図である。
【図６】本考案の容器装置の第３の実施形態が示されている一部分解斜視図である。
【図７】本考案の容器装置の第３の実施形態が示されている一部断面図である。
【考案を実施するための形態】
【００１０】
以下では図２〜４を参照しながら、本考案の容器装置を例示する第１の実施形態について詳しく説明する。図２は本考案の第１の実施形態が示されている一部断面図であり、図３は本考案の第１の実施形態におけるバルブユニット２２（後述）が示されている斜視図であり、そして図４は本考案の第１の実施形態におけるバルブユニット２２の開通状態が示されている一部断面図である。
【００１１】
図２に示されているように、本考案の第１の実施形態における容器装置は、例えば歯磨き粉やシャンプーなどの流体（図示せず）を内部に収容できる容器本体１と、容器本体１に形成されて前記流体を排出するための開口（容器開口１３）を封止できる容器蓋２とを具えている。
【００１２】
容器本体１は、弾性材料で作成され、収容部１２と取付け壁１４を有するように形成されている。収容部１２は、前記流体を収容できる収容空間１１を囲むと共に、収容空間１１を外部空間と連通させる容器開口１３が形成される端壁１５を有している。なお、端壁１５は収容部１２において収容空間１１に臨む内縁側へ縮径するように形成されて容器開口１３を囲むので、容器開口１３の口径は収容空間１１の内径より狭くなっている。一方、取付け壁１４は、端壁１５の容器開口１３に臨む周縁から容器開口１３の収容空間１１から離れる方向へ突起すると共に、収容空間１１に臨む内壁面の反対側にある外壁面に雄ねじが形成されている。
【００１３】
容器蓋２は、容器開口１３を封止できるように容器本体１に取り外し可能に取り付けられている。容器蓋２は、容器本体１の容器開口１３の一部を覆うと共に、該容器開口１３と連通する蓋開口２１３が形成される装着ユニット２１と、蓋開口２１３を覆うように装着ユニット２１に取り外し可能に配置されている蓋ユニット２３と、装着ユニット２１に取付けられると共に、収容空間１１の内部に収容される前記流体により押し開かれることができるよう弾性変形可能に容器開口１３に隣設されているバルブユニット２２とを有している。
【００１４】
容器蓋２の装着ユニット２１には、容器本体１の容器開口１３一部を覆うように取付け壁１４に取り外し可能に取付けられる装着部２１１と、管状に形成されて容器本体１から離れるように装着部２１１に突設されながら、蓋開口２１３を囲む管状部２１４と、が形成されている。また装着部２１１は、容器本体１に取付けられる際、取付け壁１４の外側を囲んで雄ねじが形成される取付け壁１４と螺合できる雌ねじが形成される外囲壁２１２と、容器開口１３に挿し込まれて取付け壁１４の内側に当接できる挿入壁２１６とを有するように構成されている。更に管状部２１４には、その内周面において装着部２１２と接する一端から、その内周面が面する方向へ突起する係合フランジ２１５が形成されている。
【００１５】
バルブユニット２２は、弾性材料で作成されており、装着ユニット２１の蓋開口２１３と係合しながら、蓋開口２１３を外部空間と連通できる通孔２２９を囲む周壁２２１と、周壁２２１において容器本体１から離れる側の先端に配置され、通孔２２９を開閉可能に覆うことができると共に、収容空間１１内部に収容される前記流体により押し開かれることができるように弾性変形可能な弁体２２２とを備えている。
【００１６】
また、バルブユニット２２の周壁２２１は、装着ユニット２１の管状部２１４内に配置されると共に、装着ユニット２１の管状部２１４の内周面に向かって開口し、その係合フランジ２１５に嵌め込まれる係合溝２２３が形成されている。なお、周壁２２１には、装着ユニット２１の装着部２１２において容器開口１３側にある壁面に当接しながら、挿入壁２１６へはみ出す当接フランジ２２４が更に形成されており、バルブユニット２２と管状部２１４との係合をより強固にすることができる。
【００１７】
一方、図３に示されているようにバルブユニット２２の弁体２２２は、周壁２２１の先端の周縁において互いに隣接し、それぞれが通孔２２９の中心２２６へ突起することによって全体としてドーム型を形成する４つの弾性弁片２２８を有している。そして図４に示されているように、互いに隣接する各弾性弁片２２８の間に、該４つの弾性弁片２２８が収容空間１１の内部に収容される前記流体により押し開かれるように弾性変形すると、幅が拡大するスリット２２５が画成されて開通し、前記流体を外部空間に流出させることができる。なお、本実施形態における弾性弁片２２８の数量は例示にすぎず、必要によって弾性弁片２２８やスリット２２５の数量は適宜変更できる。
【００１８】
また、図２に示されているように蓋ユニット２３は、一側が固定端として装着ユニット２１の装着部２１２と搖動可能に連接する構造なので、装着部２１２に当接して蓋開口２１３及びバルブユニット２２を覆い、または装着部２１２から離れて蓋開口２１３及びバルブユニット２２を露出させることができる。なお、本考案はこの構成に制限されることなく、例えば蓋ユニット２３は、取り外されると完全に装着ユニット２１と分離する構成を採用することも可能である。
【００１９】
本考案の容器装置を製造する際は、例えば樹脂やプラスチックなどの弾性材料で容器本体１及び、容器蓋２の装着ユニット２１と蓋ユニット２３とバルブユニット２２の素体を射出成型してから、バルブユニット２２の素体に各弾性弁片２２８を分割形成してバルブユニット２２を作成し、そして作成したバルブユニット２２を装着ユニット２１の挿入壁２１６側から蓋開口２１３に押し込でその係合溝２２３を管状部２１４の係合フランジ２１５と係合させると、容器蓋２を組み立てることができる。その後、容器本体１の収容空間１１に流体を注入し、容器蓋２を容器本体１と螺合させると本考案の容器装置を使用できるようになる。
【００２０】
本考案の容器装置を使用する場合は、容器蓋２の蓋ユニット２３を開けて装着ユニット２１の蓋開口２１３とバルブユニット２２の弁体２２２を露出させ、続いて容器本体１の収容部１２に握力などの外力を与えて変形させると、収容空間１１内の前記流体を、蓋開口２１３に移動させ、更に前記外力が付与された勢いで弁体２２２の各弾性弁片２２２を押し開けて外部空間に流出させることができる。そして、前記外力を止めると、収容空間１１内の前記流体は勢いを失って静止するので、各弾性弁片２２２は弾性回復によって蓋開口２１３を封止し、蓋ユニット２３が開いている状態においても、前記外部空間からの洗浄用水や塵埃などの異物が収容空間１１内に侵入し、収容中の前記流体と接触することを防止できる。
【００２１】
以下、図５を参照しながら、本考案の容器装置を例示する第２の実施形態について詳しく説明する。図５は本考案の第２の実施形態が示されている一部断面図である。
【００２２】
本考案の第２の実施形態は、構造的に前記第１の実施形態との共通点が多いものの、バルブユニット２２aが、その周壁２２１aで管状部２１４aを囲み、そして当接フランジ２２４ａを装着部２１１に当接させるように装着ユニット２１aにマウントされる点が異なっている。この構造によれば、容器蓋２ａは、周壁２２１ａにある係合溝及び管状部２１４ａにある係合フランジを省略できるので、前記第１の実施形態と比べってより製造し易い。
【００２３】
以下、図６と図７を参照しながら、本考案の容器装置を例示する第３の実施形態について詳しく説明する。図６は本考案の第３の実施形態が示されている一部分解斜視図であり、そして図７は本考案の第３の実施形態が示されている一部断面図である。
【００２４】
本考案の容器装置の第３の実施形態も、構造的に前記第１の実施形態との共通点が多いものの、容器開口１３を封止し且つ一面がバルブユニット２２に面しているように容器本体１が取付けられるシール膜４（図７）と、取付け壁１４を囲むように端壁１５に乗せられて容器本体１に取り外し可能に取り付けられ、且つ装着部２１１（図７）の外囲壁２１２と容器本体１の端壁１５との間に挟まれることができるスペーサリング３と、を更に具えるという点に異なっている。
【００２５】
図７に示されているように、スペーサリング３が取付けられている状態において、装着部２１１の挿入壁２１６は、容器開口１３外に位置しており、容器開口１３にあるシール膜４と接触しない。また、スペーサリング３が取り外されると、装着部２１１の外囲壁２１２は容器本体１の端壁１５と当接できるようになり、そして外囲壁２１２が端壁１５に接近して該端壁１５に当接すると、挿入壁２１６はシール膜４を突き破って容器開口１３内に挿し込まれることができる。この構造によれば、本考案の容器装置は、スペーサリング３の介在によりシール膜４が不測の事態によって開封されて容器本体１内の流体が流出してしまうようなことを防止できる。
【００２６】
以上の各実施形態によれば、本考案の容器装置は、弾性材料で作成され、容器本体１内の流体により押し開かれるように容器本体１を封止できるバルブユニット２２を具えているため、容器本体１が握力などの外力を受けて変形すると共に、前記外力を受けた前記流体はバルブユニット２２を押し開いて流出できるようになり、そして前記外力がなくなると弾性回復で元の位置に戻り容器本体１の容器開口１３を封止するので、蓋ユニット２３が開けられている状態においても、外部空間の異物が容器本体１に侵入して容器本体１内の前記流体と接触することを効果的に防止することができる。また、本考案の容器装置は、、バルブユニット２２のみでも容器本体１の開閉効果を充分に発揮できるので、容器蓋２が、装着ユニット２１及び蓋ユニット２３の設置も必要なものではなく、バルブユニット２２のみを容器本体１に配置してその容器開口１３を封止するように構成されることも可能である。
【００２７】
以上、本考案の好ましい実施形態を説明したが、本考案はこれに限定されるものではなく、その要旨を逸脱しない範囲で種々変更可能である。
【産業上の利用可能性】
【００２８】
上記構成によれば、本考案の容器装置は、バルブユニット２２が外部空間の異物と容器本体１内の流体との接触を有効に防止できるので、容器本体１に収容されている流体製品の純度をより長く維持することもできる。
【符号の説明】
【００２９】
１                容器本体
１１              収容空間  
１２              収容部  
１３              容器開口
１４              取付け壁
２、２ａ          容器蓋
２１、２１ａ      装着ユニット
２１１            装着部
２１２            外囲壁
２１３            蓋開口
２１４、２１４ａ  管状部
２１５            係合フランジ
２１６            挿入壁
２２、２２ａ      バルブユニット
２２１、２２１ａ  周壁
２２２            弁体
２２３            係合溝
２２４、２２４ａ  当接フランジ
２２５            スリット
２２６            中心
２２８            弾性弁片
２２９            通孔
２３              蓋ユニット
３                スペーサリング
４                シール膜
【図１】
0003207087.tif 000003
【図２】
0003207087.tif 000004
【図３】
0003207087.tif 000005
【図４】
0003207087.tif 000006
【図５】
0003207087.tif 000007
【図６】
0003207087.tif 000008
【図７】
0003207087.tif 000009